(57)【要約】【課題】一例として、フレキシブルプリント配線板等のフラットケーブルに関連した新規な構成によって不都合が減るあるいは利点が得られるテレビジョン受像機および電子機器を得る。【解決手段】実施形態にかかるテレビジョン受像機は、筐体と、表示装置と、ケーブルと、フレキシブルプリント配線板と、を備えた。表示装置は、表示画面を有し筐体に少なくとも一部が収容された。ケーブルは、筐体内に収容された。フレキシブルプリント配線板は、筐体内に収容され、少なくとも一部が前記ケーブルに沿うかあるいは重なった状態に設けられ、配線領域と、当該配線領域から突出しケーブルと重なった突出部と、を有した。【選択図】図４
2013251640.tif 000002
【特許請求の範囲】
【請求項１】
筐体と、
表示画面を有し前記筐体に少なくとも一部が収容された表示装置と、
前記筐体内に収容されたケーブルと、
前記筐体内に収容され、少なくとも一部が前記ケーブルに沿うかあるいは重なった状態に設けられ、配線領域と、当該配線領域から突出し前記ケーブルと重なった突出部と、を有したフレキシブルプリント配線板と、
を備えた、テレビジョン受像機。
【請求項２】
前記突出部は前記配線領域を電気部品と絶縁させる絶縁体を有した、請求項１に記載のテレビジョン受像機。
【請求項３】
前記突出部は導体層を有した、請求項１または２に記載のテレビジョン受像機。
【請求項４】
前記ケーブルとの間で前記突出部を挟む状態に位置された電気部品を備えた、請求項２または３に記載のテレビジョン受像機。
【請求項５】
前記突出部は、前記フレキシブルプリント配線板の屈曲部に設けられた、請求項１〜４のうちいずれか一つに記載のテレビジョン受像機。
【請求項６】
前記配線領域は、前記ケーブルと交叉する方向に延びた部分を有し、
前記突出部は、当該ケーブルと交叉する方向に延びた部分から突出した、請求項１〜５のうちいずれか一つに記載のテレビジョン受像機。
【請求項７】
前記突出部は曲線状の縁を有した、請求項１〜６のうちいずれか一つに記載のテレビジョン受像機。
【請求項８】
前記突出部の縁と前記ケーブルの縁とが略直交した、請求項１〜７のうちいずれか一つに記載のテレビジョン受像機。
【請求項９】
前記突出部の前記ケーブルを挟んで前記配線領域とは反対側に、前記筐体または当該筐体内の部品に結合された結合部が設けられた、請求項１〜８のうちいずれか一つに記載のテレビジョン受像機。
【請求項１０】
筐体と、
前記筐体内に収容されたケーブルと、
前記筐体内に収容され前記ケーブルを覆う突出部が設けられたフレキシブルプリント配線板と、
を備えた、電子機器。
【請求項１１】
筐体と、
前記筐体内に収容された電気部品と、
前記筐体内に収容され前記電気部品を覆う突出部が設けられたフラットケーブルと、
を備えた、電子機器。
【発明の詳細な説明】
【技術分野】
【０００１】
本発明の実施形態は、テレビジョン受像機および電子機器に関する。
【背景技術】
【０００２】
従来、筐体内にフレキシブルプリント配線板が収容された電子機器が、知られている。
【先行技術文献】
【特許文献】
【０００３】
【特許文献１】特開２０００−１５５９２３号公報
【発明の概要】
【発明が解決しようとする課題】
【０００４】
フレキシブルプリント配線板が収容された電子機器では、例えば、フレキシブルプリント配線板が他のケーブルと擦れるなどの不都合が生じるのは好ましくない。
【０００５】
そこで、本発明の実施形態は、一例として、フレキシブルプリント配線板等のフラットケーブルに関連した新規な構成によって不都合が減るあるいは利点が得られるテレビジョン受像機および電子機器を得ることを、目的の一つとする。
【課題を解決するための手段】
【０００６】
本発明の実施形態にかかるテレビジョン受像機は、筐体と、表示装置と、ケーブルと、フレキシブルプリント配線板と、を備えた。表示装置は、表示画面を有し筐体に少なくとも一部が収容された。ケーブルは、筐体内に収容された。フレキシブルプリント配線板は、筐体内に収容され、少なくとも一部が前記ケーブルに沿うかあるいは重なった状態に設けられ、配線領域と、当該配線領域から突出しケーブルと重なった突出部と、を有した。
【図面の簡単な説明】
【０００７】
【図１】図１は、第１実施形態にかかるテレビジョン受像機の一例の正面側から見た斜視図である。
【図２】図２は、第１実施形態にかかるテレビジョン受像機の一例の側面図である。
【図３】図３は、第１実施形態にかかるテレビジョン受像機の内部構成の一例が示された背面図（背後側の筐体部材が取り外された状態が示された図）である。
【図４】図４は、第１実施形態にかかるテレビジョン受像機に含まれるフレキシブルプリント配線板およびフラットケーブルの一例が模式的に示された図である。
【図５】図５は、図４のV−V断面図（回路基板を含む）である。
【図６】図６は、第２実施形態にかかる電子機器の一例の斜視図である。
【図７】図７は、第２実施形態にかかる電子機器の第二筐体の内部構成の一例が示された平面図（下側の筐体部材が取り外された状態が示された下面図）である。
【図８】図８は、第１変形例にかかるフレキシブルプリント配線板およびフラットケーブルの一例が模式的に示された平面図である。
【図９】図９は、第２変形例にかかるフレキシブルプリント配線板およびフラットケーブルの一例が模式的に示された平面図である。
【図１０】図１０は、第３変形例にかかるフレキシブルプリント配線板およびフラットケーブルの一例が模式的に示された平面図である。
【図１１】図１１は、第４変形例にかかるフレキシブルプリント配線板およびフラットケーブルの一例が模式的に示された平面図である。
【図１２】図１２は、第５変形例にかかるフレキシブルプリント配線板、フラットケーブル、および電気部品の一例が模式的に示された平面図である。
【図１３】図１３は、図１２のXIII−XIII断面図である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。
【０００９】
また、以下の実施形態および変形例では、電子機器がテレビジョン受像機や所謂ノートブック型（クラムシェル型、折り畳み型）のパーソナルコンピュータとして構成された場合が例示されるが、本実施形態にかかる電子機器は、これには限定されない。本実施形態にかかる電子機器は、フレキシブルプリント配線板（フラットケーブル）を含む電子機器、具体的には、例えば、所謂デスクトップ型やタブレット型（スレート型）のパーソナルコンピュータや、スマートテレビ、映像表示装置、受信装置、映像表示制御装置、プロジェクタ、携帯電話機等として構成することができる。
【００１０】
＜第１実施形態＞
本実施形態では、一例として、図１，２に示されるように、テレビジョン受像機１Ａ（電子機器）は、支持部２Ａと筐体３Ａとを備える。具体的に、筐体３Ａには、表示装置４の少なくとも一部が収容されている。支持部２Ａ（スタンド部、台部、脚部）は、筐体３Ａを支持する。支持部２Ａは、筐体３Ａを、移動可能（回動可能）に支持することができる。その場合の筐体３Ａの動きとしては、例えば、チルト、ピボット、スイベル等がある。
【００１１】
筐体３Ａは、本実施形態では、一例として、図１に示されるように、正面視および背面視では四角形状（本実施形態では、一例として長方形状）に構成されている。また、筐体３Ａは、本実施形態では、一例として、図２に示されるように、前後方向に薄い扁平な直方体状に構成されている。筐体３Ａは、面３ａ（前面、上面、正面、面部）とこの反対側の面３ｂ（後面、下面、背面、面部）と、を有する。面３ａおよび面３ｂは、いずれも、筐体３Ａの厚さ方向と交叉する方向（本実施形態では、一例として直交する方向）に沿って延びている（拡がっている）。面３ａと面３ｂとは略平行である。また、筐体３Ａは、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１２】
また、筐体３Ａは、一例として、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、筐体３Ａは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００１３】
さらに、筐体３Ａは、複数の部品（分割体）が組み合わせられて構成されることができる。筐体３Ａは、本実施形態では、一例として、少なくとも壁部３ｋを含む筐体部材３１（前側部材、マスク、マスク部、カバー、フロントカバー、カバー部、部分、領域）と、少なくとも壁部３ｍを含む筐体部材３２（後側部材、ベース、ベース部、ボトム、ボトム部、カバー、リヤカバー、カバー部、部分、領域）とを有する。壁部３ｎは、筐体部材３１および筐体部材３２のうち少なくともいずれか一方（例えば、筐体部材３２）に含まれる。また、筐体３Ａは、筐体部材３１と筐体部材３２との間に位置した別の筐体部材（中間部材、隔部材、障壁部材、壁部材、介在部材、覆部材、インナプレート、ミドルプレート、ミドルフレーム、シールド、部分、領域、図示されず）を有することができる。筐体３Ａは、金属材料や、合成樹脂材料等で構成されることができる。なお、筐体部材３１や筐体部材３２の筐体３Ａ内側には、リブ等の壁部（突出部、突出壁部、図示されず）が設けられることができる。これら壁部により、筐体３Ａの剛性が高まりやすい。
【００１４】
また、本実施形態では、一例として、筐体３Ａの面３ａ，３ｂ，３ｐには、コネクタや、操作部、カメラモジュール（カメラ、撮像装置）等（図示されず）が設けられることができる。コネクタは、例えば、電源ケーブル用のコネクタや、ＵＳＢ（universal serial bus）コネクタ、カードコネクタ、イヤホンやマイクのコネクタ等であることができる。操作部は、例えば、押しボタンや、押しスイッチ、スライドスイッチ、ポインティングデバイス、ダイヤル等であることができる。
【００１５】
また、本実施形態では、一例として、図１に示されるように、表示装置４（表示部、ディスプレイ、パネル）の、面３ａ側に位置した表示画面４ａは、開口部３ｒを介して筐体３Ａの前方（外方）から視認可能である。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１６】
また、本実施形態では、一例として、表示装置４の前側（表側、壁部３ｋ側）に、タッチパネル５（一例としては入力操作パネル、タッチセンサ、操作面、カバー）が設けられることができる。この場合、タッチパネル５は、透明な比較的薄い四角形状に構成され、表示画面４ａを覆っている。ユーザ等は、例えば、手指や部品（例えばスタイラス等、図示されず）等でタッチパネル５に対して、触れる、押す、擦る、あるいは手指やスタイラス等をタッチパネル５の近傍で動かす、等の操作を行うことで、入力処理を実行することができる。また、表示装置４の表示画面４ａから出た光は、タッチパネル５を通過（透過）して壁部３ｋの開口部３ｒから筐体３Ａの前方（外方）へ出る。
【００１７】
そして、本実施形態では、一例として、図３に示されるように、筐体３Ａ内には、表示装置４の後側（裏側、背後側、壁部３ｍ側、表示画面４ａとは反対側）に、一つ以上の基板６（回路基板、制御基板、メイン基板、電気部品、部品）が収容されている。基板６は、表示装置４と略平行に設けられている。基板６は、壁部３ｋ，３ｍ，３ｎ等と離間した状態で、すなわち、壁部３ｋ，３ｍ，３ｎ等との間に空間（隙間）が形成された状態で、設けられている。
【００１８】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００１９】
図３に示されるように、本実施形態では、一例として、筐体３Ａ内には、四つの基板６（６Ａ〜６Ｄ）が収容されている。そして、本実施形態では、一例として、基板６Ａ（の導体部）と基板６Ｂ（の導体部）とが、フレキシブルプリント配線板１０（以下、ＦＰＣ１０と記す）を介して電気的に接続され、基板６Ａ（の導体部）と基板６Ｃ（の導体部）とが、フレキシブルフラットケーブル１１（以下、ＦＦＣ１１と記す）を介して電気的に接続されている。また、筐体３Ａ内には、基板６の他にも、電気部品６１（例えば、電源回路ユニット、ＨＤＤユニット、ＳＳＤユニット、ＯＤＤ（optical disk drive）ユニット、バッテリ、ボード等）が収容されている。なお、基板６や、ＦＰＣ１０、ＦＦＣ１１等も、電気部品の一例である。また、ＦＰＣ１０ならびにＦＦＣ１１は、いずれもフラットケーブル、フレキシブルケーブル、あるいはケーブルの一例である。
【００２０】
表示装置４の後面４ｂ（面、背面）には、背面視でＨ字状のリブ４ｃ（突出部、凸部、壁部）が設けられている。リブ４ｃは、表示装置４の補強部として機能している。基板６Ａ〜６Ｄは、表示装置４の後面４ｂのリブ４ｃで区分された領域にそれぞれ配置され、互いに離間している。ＦＰＣ１０ならびにＦＦＣ１１は、リブ４ｃを跨いで、複数の基板６間を接続している。基板６の面６ａ（裏面、後面、背面、面部）には、コネクタ６２が設けられている。ＦＰＣ１０あるいはＦＦＣ１１は、コネクタ６２に着脱可能に結合される（接続される）。
【００２１】
本実施形態では、一例として、ＦＰＣ１０は、薄いフィルム状かつ帯状に構成される。具体的に、ＦＰＣ１０は、ベース層（図示されず）と、配線層１０ｅと、カバー層（図示されず）と、を有する。ベース層は、絶縁体（例えばポリイミド等の合成樹脂材料等）であり、薄いフィルム状（シート状）に構成される。複数の並列な配線層１０ｅ（導体パターン）は、導体（例えば銅箔等の金属材料等）で構成され、ベース層の一方側の面上に設けられる。カバー層は、絶縁体（例えばポリイミド等の合成樹脂材料等）であり、薄いフィルム状（シート状）に構成され、ベース層との間に配線層１０ｅが挟まれた状態で、ベース層上に重ねられる。すなわち、複数の並列な配線層１０ｅは、ベース層とカバー層との間に挟まれ、ベース層およびカバー層によって覆われている。よって、各配線層１０ｅは、他の配線層１０ｅあるいは他の電気部品（ＦＰＣ１０以外の電気部品）と絶縁されている。なお、カバー層とベース層とは、例えば接着等されることによって一体化（結合）される。また、ＦＰＣ１０の端部では、カバー層またはベース層の一部が除去されることで、配線層１０ｅが露出されている。そして、ＦＰＣ１０の長手方向の端部で配線層１０ｅが露出された部分が、コネクタ６２に結合される（差し込まれる）。カバー層またはベース層が除去された部分では、配線層１０ｅの反対側に、補強層が設けられることもある。そして、ＦＰＣ１０は、図３，４に示されるように屈曲されたり、分岐されたりする（図示されず）。配線層１０ｅのスペック（例えば、幅、形状、厚さ、屈曲形状、配線層１０ｅの数、配線層１０ｅの形状等）は、適宜に設定することができる。なお、本実施形態では、ＦＰＣ１０のうち複数の配線層１０ｅが設けられた領域（ベース層、配線層１０ｅ、ならびにカバー層）が、配線領域１０ａの一例である。
【００２２】
また、本実施形態では、一例として、ＦＦＣ１１は、絶縁性の樹脂（例えば合成樹脂材料等）で覆われた複数の並列な配線（例えば、撚り線、図示されず）を含んでいる。一例として、ＦＦＣ１１の被覆は、ＦＰＣ１０の被覆より軟らかい。よって、一例として、ＦＦＣ１１はＦＰＣ１０より軟らかく、撓みやすい。
【００２３】
また、図３〜５に示されるように、本実施形態では、一例として、ＦＰＣ１０およびＦＦＣ１１は、部分的に、筐体３Ａの厚さ方向（ＦＰＣ１０およびＦＦＣ１１の厚さ方向、図２，５の左右方向、図３，４の紙面と垂直な方向）に重なっている。ＦＰＣ１０とＦＦＣ１１とが重なる場合に、ＦＰＣ１０の縁１０ａ１とＦＦＣ１１の縁１１ａとが鋭角に交わっていると、筐体３Ａに作用した外力や慣性力等によってＦＰＣ１０およびＦＦＣ１１の縁１０ａ１，１１ａ同士が擦れ、一方あるいは双方が摩耗する虞がある。図４に示される本実施形態のＦＰＣ１０では、配線領域１０ａは、屈曲部１０ｄにおいて、略直角にＬ字状に曲がっている。ここで、仮にＦＰＣ１０に突出部１０ｂが設けられていない場合には、屈曲部１０ｄにおいて、ＦＰＣ１０の縁（図示されず、配線領域１０ａの縁部１０ｃに沿う）とＦＦＣ１１の縁１１ａとが鋭角に交わることになる。この点、本実施形態では、一例として、ＦＰＣ１０は、配線領域１０ａの縁部１０ｃからＦＰＣ１０の幅方向外側（湾曲の外方）に向けて突出してＦＦＣ１１と重なった突出部１０ｂ（張出部）を有している。よって、本実施形態によれば、一例としては、ＦＰＣ１０およびＦＦＣ１１の縁１０ａ１，１１ａ同士が鋭角に交わるのが抑制されやすい。
【００２４】
そして、本実施形態では、一例として、突出部１０ｂの縁１０ｂ１と、ＦＦＣ１１の縁１１ａとが、略直角に交わっている。よって、ＦＦＣ１１の縁１１ａには、ＦＰＣ１０の面（図４の視線で裏側の面）が接触しやすく、よって、ＦＦＣ１１の縁１１ａが摩耗するのが抑制されやすい。さらに、本実施形態では、一例として、突出部１０ｂの先端部の縁１０ｂ１は、曲線状に設けられている。よって、本実施形態によれば、一例としては、突出部１０ｂの先端部が尖っていた場合に比べて、突出部１０ｂの先端部によってＦＦＣ１１が損傷するのが抑制されやすい。また、本実施形態では、一例として、突出部１０ｂは、絶縁体（絶縁部）としてのベース層ならびにカバー層によって構成されている。よって、本実施形態によれば、一例としては、突出部１０ｂによって、配線領域１０ａの配線層１０ｅと他の電気部品（ＦＦＣ１１や当該ＦＦＣ１１以外の電気部品）とを絶縁することができる。
【００２５】
以上、説明したように、本実施形態では、一例として、ＦＰＣ１０は、配線領域１０ａから突出してＦＦＣ１１と重なった（覆った）突出部１０ｂを有した。よって、本実施形態によれば、一例としては、ＦＰＣ１０の縁１０ａ１とＦＦＣ１１の縁１１ａとが接触するのが抑制される。よって、一例としては、縁１０ａ１，１１ａ同士の接触に基づいて不都合な事象が生じるのが抑制される。
【００２６】
また、本実施形態では、一例として、突出部１０ｂは、ＦＰＣ１０の屈曲部１０ｄに設けられた。よって、本実施形態によれば、一例としては、ＦＰＣ１０の屈曲部１０ｄの縁とＦＦＣ１１の縁１１ａとが鋭角に交わるのが抑制されやすい。よって、一例としては、縁１０ａ１，１１ａ同士の接触に基づいて不都合な事象が生じるのが抑制されやすい。また、本実施形態によれば、一例としては、屈曲部１０ｄでＦＰＣ１０がより曲がりにくくなる。なお、本実施形態では、一例として、ＦＰＣ１０の一部はＦＦＣ１１に沿い、屈曲部１０ｄで曲がっている。よって、屈曲部１０ｄの一部を含むＦＰＣ１０の一部は、ＦＰＣ１０のＦＦＣ１１と交叉する方向に延びている。すなわち、本実施形態では、一例として、突出部１０ｂは、ＦＰＣ１０のＦＦＣ１１と交叉する方向に延びた部分に設けられていると言うことができる。よって、本実施形態によれば、一例としては、突出部１０ｂによって、縁１０ａ１，１１ａ同士が鋭角に交叉するのが抑制されやすい。
【００２７】
＜第２実施形態＞
本実施形態では、一例として、図６に示されるように、電子機器１Ｂは、第一筐体３Ｂと第二筐体２Ｂとを備える。具体的に、第一筐体３Ｂ（第一部分、筐体）には、表示装置４の少なくとも一部が収容される。また、第一筐体３Ｂには、表示装置４と重なって透明なタッチパネル５（タッチセンサ、入力操作部、入力受付部、入力部）が設けられることができる。ユーザ等は、タッチパネル５を介して表示装置４の表示画面４ａに表示される映像（画像）を視認することができる。
【００２８】
図６に示されるように、第二筐体２Ｂ（第二部分、筐体）には、基板６が収容されている。第二筐体２Ｂには、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、入力受付部、入力部）等が設けられる。
【００２９】
第一筐体３Ｂと第二筐体２Ｂとは、ヒンジ機構９（ヒンジ部、接続部、連結部、回動支持部、接続機構、連結機構、回動支持機構）によって回動可能に接続されている。第一筐体３Ｂと第二筐体２Ｂとは、ヒンジ機構９により、少なくとも図６に示される展開状態と、図示されない折り畳み状態との間で回動可能に接続されている。本実施形態では、一例として、ヒンジ機構９は、第一筐体３Ｂと第二筐体２Ｂとを、回動軸Ａｘ回りに回動可能に、接続している。
【００３０】
表示装置４の表示画面４ａは、第一筐体３Ｂの面３ａ（前面、上面、正面、面部）に設けられた開口部３ｒを介して視認可能である。また、キーボード７や、ポインティングデバイス８ａ、クリックボタン８ｂ等は、第二筐体２Ｂの面２ａ（前面、上面、正面、面部）に露出している。折り畳み状態では、第一筐体３Ｂの面３ａと第二筐体２Ｂの面２ａとが重なり、表示画面４ａや、キーボード７、ポインティングデバイス８ａ、クリックボタン８ｂ等は、第一筐体３Ｂおよび第二筐体２Ｂに隠される。展開状態では、第一筐体３Ｂの面３ａおよび第二筐体２Ｂの面２ａが露出され、表示画面４ａや、キーボード７、ポインティングデバイス８ａ、クリックボタン８ｂ等は、使用可能（視認可能あるいは操作可能）になる。なお、第一筐体の厚さ方向の一方がタッチパネルの面で覆われる場合もある。その場合、タッチパネルの面が第一筐体の面である。また、第二筐体にキーボードに替えてタッチパネル付きの表示装置（図示されず）が設けられる場合もある。さらに、第二筐体の厚さ方向の一方がタッチパネルの面で覆われる場合もある。その場合、タッチパネルの面が第二筐体の面である。
【００３１】
第一筐体３Ｂは、本実施形態では、一例として、図６に示されるように、正面視および背面視では四角形状（本実施形態では、一例として長方形状）に構成されている。また、第一筐体３Ｂは、本実施形態では、一例として、薄い扁平な直方体状に構成されている。第一筐体３Ｂは、面３ａとこの反対側の面３ｂ（後面、下面、背面、面部）と、を有する。面３ａおよび面３ｂは、いずれも、第一筐体３Ｂの厚さ方向と交叉する方向（本実施形態では、一例として直交する方向）に沿って延びている（拡がっている）。面３ａと面３ｂとは略平行である。また、第一筐体３Ｂは、図６に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００３２】
また、第一筐体３Ｂは、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、第一筐体３Ｂは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００３３】
さらに、第一筐体３Ｂは、複数の部品（分割体）が組み合わせられて構成されることができる。第一筐体３Ｂは、本実施形態では、一例として、少なくとも壁部３ｋを含む筐体部材３１（前側部材、マスク、マスク部、カバー、フロントカバー、カバー部、部分、領域）と、少なくとも壁部３ｍを含む筐体部材３２（後側部材、ベース、ベース部、ボトム、ボトム部、カバー、リヤカバー、カバー部、部分、領域）とを有する。壁部３ｎは、筐体部材３１および筐体部材３２のうち少なくともいずれか一方（例えば、筐体部材３２）に含まれる。また、第一筐体３Ｂは、筐体部材３１と筐体部材３２との間に位置した別の筐体部材（中間部材、隔部材、障壁部材、壁部材、介在部材、覆部材、インナプレート、ミドルプレート、ミドルフレーム、シールド、部分、領域、図示されず）を有することができる。第一筐体３Ｂは、金属材料や、合成樹脂材料等で構成されることができる。
【００３４】
また、本実施形態では、一例として、表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００３５】
また、本実施形態では、一例として、タッチパネル５は、透明な比較的薄い四角形状に構成されている。操作者（ユーザ等）は、例えば、手指や部品（例えばスタイラス等、図示されず）等でタッチパネル５に対して、触れる、押す、擦る、あるいは手指やスタイラス等をタッチパネル５の近傍で動かす等の操作を行うことで、入力処理を実行することができる。また、表示装置４の表示画面４ａから出た光は、タッチパネル５を通過（透過）して壁部３ｋの開口部３ｒから第一筐体３Ｂの前方（外方）へ出る。
【００３６】
第二筐体２Ｂは、本実施形態では、一例として、図６，７に示されるように、正面視および背面視では四角形状（本実施形態では、一例として長方形状）に構成されている。また、第二筐体２Ｂは、本実施形態では、一例として、薄い扁平な直方体状に構成されている。第二筐体２Ｂは、面２ａとこの反対側の面２ｂ（後面、下面、背面、面部）と、を有する。面２ａおよび面２ｂは、いずれも、第二筐体２Ｂの厚さ方向と交叉する方向（本実施形態では、一例として直交する方向）に沿って延びている（拡がっている）。面２ａと面２ｂとは略平行である。また、第二筐体２Ｂは、面２ａに対する正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００３７】
また、第二筐体２Ｂは、面２ａを有する壁部２ｋ（部分、プレート、フレーム、前壁部、表壁部、天壁部）と、面２ｂを有する壁部２ｍ（部分、プレート、後壁部、裏壁部、底壁部）と、を有する。壁部２ｋ，２ｍは、四角形状（本実施形態では、一例として長方形状）である。また、第二筐体２Ｂは、壁部２ｋと壁部２ｍとの間に亘った面２ｐ（側面、周面）を有する四つの壁部２ｎ（部分、プレート、側壁部、端壁部、立壁部、亘部）を有する。なお、壁部２ｋには、一例としては四角形状の開口部２ｒが設けられている。よって、壁部２ｋは、四角形状かつ枠状である。
【００３８】
さらに、第二筐体２Ｂは、一例として、複数の部品（分割体）が組み合わせられて構成されることができる。第二筐体２Ｂは、本実施形態では、一例として、少なくとも壁部２ｋを含む筐体部材２１（前側部材、マスク、マスク部、カバー、フロントカバー、カバー部、部分、領域）と、少なくとも壁部２ｍを含む筐体部材２２（後側部材、ベース、ベース部、ボトム、ボトム部、カバー、リヤカバー、カバー部、部分、領域）とを有する。壁部２ｎは、筐体部材２１および筐体部材２２のうち少なくともいずれか一方（例えば、筐体部材２２）に含まれる。また、第二筐体２Ｂは、筐体部材２１と筐体部材２２との間に位置した別の筐体部材（中間部材、隔部材、障壁部材、壁部材、介在部材、覆部材、インナプレート、ミドルプレート、ミドルフレーム、シールド、部分、領域、図示されず）を有することができる。第二筐体２Ｂは、金属材料や、合成樹脂材料等で構成されることができる。
【００３９】
また、本実施形態では、一例として、キーボード７の操作面７ａ（面、上面）は、開口部２ｒを介して第二筐体２Ｂの前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００４０】
そして、本実施形態では、一例として、図６に示されるように、第二筐体２Ｂ内には、キーボード７の後側（裏側、背後側、壁部２ｍ側、操作面７ａとは反対側）に、一つ以上の基板６（回路基板、制御基板、メイン基板、電気部品）が収容されている。基板６は、キーボード７と並行して設けられている。基板６は、壁部２ｋ，２ｍ，２ｎ等と離間した状態で、すなわち、壁部２ｋ，２ｍ，２ｎ等との間に空間（隙間）が形成された状態で、設けられている。
【００４１】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００４２】
また、本実施形態では、一例として、図７に示されるように、第二筐体２Ｂ内には、基板６の他、種々の電気部品６１が収容されている。そして、本実施形態では、一例として、第二筐体２Ｂ内に、ＦＰＣ１０，１２と、ＦＦＣ１１，１３（電気部品、ケーブル、フラットケーブル、フレキシブルケーブル）が収容されている。そして、本実施形態では、一例として、ＦＦＣ１３とＦＰＣ１２とが、略直交した状態で重なっている。一方、ＦＰＣ１０は、上記第１実施形態と同様に、屈曲部１０ｄで略直角に屈曲している。屈曲部１０ｄの湾曲の外方には、突出部１０ｂが設けられている。突出部１０ｂがＦＦＣ１１と重なっている。すなわち、ＦＰＣ１０は、上記第１実施形態と同様に、ＦＦＣ１１と部分的に重なっている。よって、本実施形態によっても、上記第１実施形態と同様の構成に基づく同様の結果（効果）が得られる。
【００４３】
＜第１変形例＞
上記実施形態の第１変形例では、一例として、図８に示されるように、ＦＰＣ１０とＦＦＣ１１とが部分的に隣接して並んで（本変形例では、一例として略平行に）配置されている。そして、ＦＰＣ１０は、突出部１０ｂを有している。突出部１０ｂは、ＦＰＣ１０の配線領域１０ａの縁１０ａ１からＦＰＣ１０（配線領域１０ａ）の幅方向に突出している。突出部１０ｂは、ＦＦＣ１１と重なり、ＦＦＣ１１を覆っている。突出部１０ｂは、ＦＦＣ１１の幅方向に沿って突出し、ＦＦＣ１１の幅の途中まで延びている。本変形例によっても、上記実施形態と同様の構成に基づく同様の結果（効果）が得られる。本変形例にかかるＦＰＣ１０ならびにＦＦＣ１１は、種々の電子機器に用いることができる。
【００４４】
＜第２変形例＞
上記実施形態の第２変形例では、一例として、図９に示されるように、ＦＰＣ１０とＦＦＣ１１とが部分的に隣接して並んで（本変形例では、一例として略平行に）配置されている。そして、ＦＰＣ１０は、突出部１０ｂを有している。突出部１０ｂは、ＦＰＣ１０の配線領域１０ａの縁１０ａ１からＦＰＣ１０（配線領域１０ａ）の幅方向に突出している。突出部１０ｂは、ＦＦＣ１１と重なり、ＦＦＣ１１を覆っている。突出部１０ｂは、ＦＦＣ１１の幅方向に沿って突出し、ＦＦＣ１１を跨ぎ、配線領域１０ａとは反対側まで延びている。そして、突出部１０ｂの当該反対側の領域には、開口部１０ｆ（一例としては貫通孔）が設けられている。開口部１０ｆを通った結合具３０が、筐体３Ａまたは第二筐体２Ｂ若しくはそれら筐体３Ａまたは第二筐体２Ｂに固定された部品（一例としては基板６等）に固定（結合）されることで、突出部１０ｂひいてはＦＰＣ１０が、筐体３Ａまたは第二筐体２Ｂ若しくはそれら筐体３Ａまたは第二筐体２Ｂに固定された部品に固定（結合）されている。すなわち、本変形例では突出部１０ｂの開口部１０ｆならびにその周辺部が、結合部の一例である。本変形例によっても、上記実施形態や変形例と同様の構成に基づく同様の結果（効果）が得られる。さらに、本変形例では、突出部１０ｂがＦＦＣ１１を跨いでいる。よって、本変形例によれば、一例としては、突出部１０ｂによってＦＦＣ１１の動きがより抑制されやすい。さらに、本変形例では、突出部１０ｂが筐体３Ａまたは第二筐体２Ｂ若しくはそれら筐体３Ａまたは第二筐体２Ｂに固定された部品に固定（結合）されている。よって、本変形例によれば、一例としては、突出部１０ｂによってＦＦＣ１１の動きがより一層抑制されやすい。本変形例にかかるＦＰＣ１０ならびにＦＦＣ１１は、種々の電子機器に用いることができる。
【００４５】
＜第３変形例＞
上記実施形態の第３変形例では、図１０を図９と比較すれば明らかとなるように、上記第２変形例と突出部１０ｂの構成が相違している。すなわち、本変形例では、突出部１０ｂには、上記第２変形例の開口部１０ｆに替えて開口部１０ｇ（一例としては切欠）が設けられている。本変形例では、開口部１０ｇに、筐体３Ａまたは第二筐体２Ｂに形成された突出部３３若しくはそれら筐体３Ａまたは第二筐体２Ｂに固定された突出部３３（部品）が挿入され、突出部３３に突出部１０ｂが引っ掛けられている（支持されている）。すなわち、本変形例では突出部１０ｂの開口部１０ｇならびにその周辺部が、結合部の一例である。よって、本変形例によっても、上記実施形態や変形例と同様の構成に基づく同様の結果（効果）が得られる。さらに、本変形例によれば、一例としては、第２変形例と比較して結合具３０が無い分、部品点数がより減りやすく、また、アセンブリに要する手間がより減りやすい。本変形例にかかるＦＰＣ１０ならびにＦＦＣ１１は、種々の電子機器に用いることができる。
【００４６】
＜第４変形例＞
上記実施形態の第４変形例では、一例として、図１１に示されるように、ＦＰＣ１０，１０ＡとＦＦＣ１１とが部分的に隣接して並んで（本変形例では、一例として略平行に）配置されている。そして、ＦＰＣ１０，１０Ａは、それぞれ突出部１０ｂを有している。突出部１０ｂは、ＦＰＣ１０，１０Ａの配線領域１０ａの縁１０ａ１からＦＰＣ１０，１０Ａ（配線領域１０ａ）の幅方向に突出している。突出部１０ｂは、それぞれ、ＦＦＣ１１と重なり、ＦＦＣ１１を覆っている。突出部１０ｂは、それぞれ、ＦＦＣ１１の幅方向に沿って突出し、ＦＦＣ１１の幅の途中まで延びている。各突出部１０ｂは、ＦＦＣ１１の相異なる部位と重なっている（覆っている）。さらに、本変形例では、ＦＰＣ１０は、突出部１０ｈを有している。突出部１０ｈは、ＦＰＣ１０の屈曲部１０ｄで配線領域１０ａの縁部１０ｃから屈曲部１０ｄの幅方向（湾曲の外方）に突出している。また、突出部１０ｈは、ＦＰＣ１０Ａの幅方向に突出し、ＦＰＣ１０Ａの幅の途中まで延びている。突出部１０ｈは、ＦＰＣ１０Ａと重なっている（覆っている）。本変形例によっても、上記実施形態や変形例と同様の構成に基づく同様の結果（効果）が得られる。さらに、本変形例では、複数の突出部１０ｂがＦＦＣ１１と重なっている。よって、本変形例によれば、一例としては、ＦＦＣ１１の動きがより一層抑制されやすい。さらに、ＦＰＣ１０の突出部１０ｈがＦＰＣ１０Ａと重なっている。よって、本変形例によれば、一例としては、ＦＰＣ１０Ａの動きが抑制されやすく、ひいては、ＦＦＣ１１の動きがより一層抑制されやすい。
【００４７】
＜第５変形例＞
上記実施形態の第５変形例では、一例として、図１２，１３に示されるように、ＦＰＣ１０は、ＦＦＣ１１と部分的に重なっている（覆っている）。また、ＦＰＣ１０は、突出部１０ｂを有している。突出部１０ｂは、ＦＰＣ１０の配線領域１０ａの縁１０ａ１からＦＰＣ１０（配線領域１０ａ）の幅方向に突出している。突出部１０ｂは、ＦＦＣ１１と重なり、ＦＦＣ１１を覆っている。突出部１０ｂは、ＦＦＣ１１の幅方向に沿って突出し、ＦＦＣ１１を跨ぎ、配線領域１０ａとは反対側まで延びている。また、本変形例では、ＦＰＣ１０ならびにＦＦＣ１１に重なるように、電気部品６１が設けられている。電気部品６１は、筐体３Ａあるいは第二筐体２Ｂに収容され、例えば、ＳＳＤや通信モジュール等である。そして、突出部１０ｂは、電気部品６１とＦＦＣ１１とで挟まれる状態に設けられている。すなわち、突出部１０ｂは、電気部品６１とＦＦＣ１１との間に介在されている。そして、突出部１０ｂには、絶縁体（絶縁部）としてのベース層およびカバー層（いずれも図示されず）の間に導体層１０ｉ（導電層、導体、シールド層、シールド部材）が介在されている。この導体層１０ｉは、電気部品６１とＦＦＣ１１との間の電磁シールドとして機能することができる。なお、導体層１０ｉは、配線領域１０ａ内のグラウンド電位の配線層１０ｅと電気的に接続されることができる。これにより、グラウンド電位が共用化されやすく、導体層１０ｉの電位の浮きが抑制されやすい。本変形例によっても、上記実施形態や変形例と同様の構成に基づく同様の結果（効果）が得られる。さらに、本変形例によれば、突出部１０ｂを、電磁シールドとして用いることができる。よって、ＦＰＣ１０や、ＦＦＣ１１、電気部品６１等で用いられる電気信号に対するノイズ混入や電気信号や電磁波の相互干渉等が抑制されやすい。本変形例にかかる構成は、種々の電子機器に用いることができる。
【００４８】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。例えば、ＦＰＣに替えてＦＦＣを用いて、ＦＦＣに突出部を設けることができるし、ＦＦＣに替えてＦＰＣを用いることができる。さらに、ＦＰＣあるいはＦＦＣに設けられた突出部が、ケーブル以外の電気部品と重なる（覆う）よう、構成することができる。また、フラットケーブル（ＦＰＣ）の突出部によって覆われる対象は、ＦＰＣや、ＦＦＣの他、ケーブルであってもよいし、他の電気部品であってもよい。
【符号の説明】
【００４９】
１Ａ…テレビジョン受像機（電子機器）、１Ｂ…電子機器、２Ｂ…第二筐体（筐体）、３Ａ…筐体、４…表示装置、４ａ…表示画面、１０…フレキシブルプリント配線板（ＦＰＣ、フラットケーブル）、１０ａ…配線領域、１０ｂ…突出部、１０ｂ１…縁、１０ｄ…屈曲部、１０ｆ…開口部（結合部）、１０ｇ…開口部（結合部）、１０ｉ…導体層（導体）、１１…フレキシブルフラットケーブル（ＦＦＣ、ケーブル、電気部品）、６１…電気部品。
【図１】
2013251640.tif 000003
【図２】
2013251640.tif 000004
【図３】
2013251640.tif 000005
【図４】
2013251640.tif 000006
【図５】
2013251640.tif 000007
【図６】
2013251640.tif 000008
【図７】
2013251640.tif 000009
【図８】
2013251640.tif 000010
【図９】
2013251640.tif 000011
【図１０】
2013251640.tif 000012
【図１１】
2013251640.tif 000013
【図１２】
2013251640.tif 000014
【図１３】
2013251640.tif 000015